(57)【要約】【課題】組立作業が容易な酸素ルームを提供する。【解決手段】収容部２は、前方部２ａと、後方部２ｂを結合することにより構成されている。また、前方部２ａの内側には、前方結合部７が設けられているとともに、後方部２ｂの内側には、後方結合部８が設けられており、前方結合部用ビス穴７ａと、後方結合部用ビス穴８ａを重ね合わせた状態でビス９を挿通する。これにより、組立作業者は、収容部２の内部に入り、前方結合部用ビス穴７ａと、後方結合部用ビス穴８ａをビス９に挿通することができることから、組立作業を容易に行うことができる。【選択図】図３
2019084202.tif 000002
【特許請求の範囲】
【請求項１】
利用者が出入り可能な開口部を有する前方部と、
前記前方部と結合される後方部と、
前記前方部の内側に設けられ、前記後方部と結合するための前方結合部と、
前記後方部の内側に設けられ、前記前方部と結合するための後方結合部と、
前記前方結合部と前記後方結合部が結合されることにより、利用者を内部に収容することが可能な内部空間を形成する収容部と、
前記収容部の前記内部空間に酸素を供給する酸素供給部と、
を備えたことを特徴とする酸素ルーム。
【請求項２】
前記前方部と、前記後方部の間に設けられ、前記前方部、及び前記後方部と結合される中央部を更に設け、
前記中央部は、
前記前方結合部と結合するための第１中央結合部と、
前記後方結合部と結合するための第２中央結合部と、
を備え、
前記収容部は、
前記前方部、前記中央部、及び前記後方部が結合されることにより、内部空間を形成することを特徴とする請求項１に記載の酸素ルーム。
【請求項３】
前記中央部は、複数設けられ、
前記収容部は、
一の前記中央部と前記前方部を結合するとともに、他の前記中央部を前記後方部と結合し、複数設けられた前記中央部を結合することにより、内部空間を形成することを特徴とする請求項２に記載の酸素ルーム。
【発明の詳細な説明】
【技術分野】
【０００１】
本発明は、酸素ルームに関するものである。
【背景技術】
【０００２】
従来では、組み立て式の酸素ルームが知られている（例えば、特許文献１）。このような酸素ルームは、ポールの両端部を締付金具で固定して組み立てることによりフレームを形成し、このフレームに出入り口を設けたカバーを被せることで、複数人収容可能な酸素ルームを安価で提供することができる。しかしながら、このような酸素ルームは、単にフレームにカバーを被せただけであるため、内部の酸素が漏れてしまうという問題点があった。
【０００３】
これに対して、高圧容器の素材としてアルミ合金を採用した酸素ルームも知られている（例えば、特許文献２）。このような酸素ルームは、内部の酸素が外部に漏れてしまうことを防止することができる。
【先行技術文献】
【特許文献】
【０００４】
【特許文献１】特開２００８−２９６０５７号公報
【特許文献２】特開２０１１−０４５６０５号公報
【発明の概要】
【発明が解決しようとする課題】
【０００５】
しかしながら、特許文献２に開示されている酸素ルームは、酸素が漏れてしまうことを防止することができる一方で、複数人収容することができないという問題点があった。これに対して、アルミ合金等の金属素材を用いて、複数人収容可能な大きさにすることが考えられる。この場合、酸素ルーム自体の大きさが大きくなるため、酸素ルームの組立作業が大変になるという問題点がある。
【０００６】
本発明は、このような問題点に鑑み、組立作業が容易な酸素ルームを提供することを目的とする。
【課題を解決するための手段】
【０００７】
このような課題を解決するために、本発明に係る酸素ルームは、利用者が出入り可能な開口部を有する前方部と、前記前方部と結合される後方部と、前記前方部の内側に設けられ、前記後方部と結合するための前方結合部と、前記後方部の内側に設けられ、前記前方部と結合するための後方結合部と、前記前方結合部と前記後方結合部が結合されることにより、利用者を内部に収容することが可能な内部空間を形成する収容部と、前記収容部の前記内部空間に酸素を供給する酸素供給部と、を備えたことを特徴とする。
【０００８】
また、本発明に係る酸素ルームは、前記前方部と、前記後方部の間に設けられ、前記前方部、及び前記後方部と結合される中央部を更に設け、前記中央部は、前記前方結合部と結合するための第１中央結合部と、前記後方結合部と結合するための第２中央結合部と、を備え、前記収容部は、前記前方部、前記中央部、及び前記後方部が結合されることにより、内部空間を形成することを特徴とする。
【０００９】
また、本発明に係る酸素ルームにおいて、前記中央部は、複数設けられ、前記収容部は、一の前記中央部と前記前方部を結合するとともに、他の前記中央部を前記後方部と結合し、複数設けられた前記中央部を結合することにより、内部空間を形成することを特徴とする。
【発明の効果】
【００１０】
本発明によれば、組立作業が容易な酸素ルームを提供することができる。
【図面の簡単な説明】
【００１１】
【図１】第１実施形態における酸素ルームの斜視図の一例を示す図である。
【図２】第１実施形態における酸素ルームの分解斜視図の一例を示す図である。
【図３】第１実施形態における収容部の結合方法の一例を示す図である。
【図４】第１実施形態における収容部の結合方法の変形例を示す図である。
【図５】従来の酸素ルームの斜視図の一例を示す図である。
【図６】第２実施形態における酸素ルームの斜視図の一例を示す図である。
【図７】第３実施形態における酸素ルームの斜視図の一例を示す図である。
【図８】前方結合部と後方結合部の他の態様の一例を示す図である。
【発明を実施するための形態】
【００１２】
（第１実施形態）
まず、図１〜図３を用いて、本発明における酸素ルームの第１実施形態について具体的に説明を行う。なお、図１は、第１実施形態における酸素ルームの斜視図の一例を示す図であり、図２（Ａ）は、第１実施形態における酸素ルームの正面視分解斜視図の一例を示す図であり、図２（Ｂ）は、第１実施形態における酸素ルームの背面視分解斜視図の一例を示す図であり、図３は、第１実施形態における収容部２の結合方法の一例を示す図である。
【００１３】
（酸素ルーム１）
本発明における酸素ルーム１は、収容部２と、気圧制御ユニット５と、濃縮酸素装置６により構成される。
【００１４】
（収容部２）
収容部２は、前方部２ａと、後方部２ｂが結合されることにより箱形状に構成され、酸素ルーム１を利用する利用者が複数人収容可能な内部空間を形成する。また、収容部２の材質は、強度に優れた金属製（例えば、鋼、鉄）となっている。なお、収容部２の内部には、気圧制御ユニット５に設けられている後述の受話器５ｂと通話可能な受話器（図示せず）が設けられている。
【００１５】
（開口部３）
開口部３は、前方部２ａに設けられており、酸素ルーム１の利用者が収容部２の内部空間に出入り可能な大きさにより形成されている。なお、開口部３の大きさは、利用者が出入り可能な大きさであれば、どのような大きさであってもよい。
【００１６】
（扉部４）
扉部４は、収容部２に設けられており、開口部３を開放、及び閉塞可能に設けられている。ここで、扉部４の大きさは、開口部３を閉塞可能な大きさであれば、どのような大きさであってもよい。なお、本実施形態において、扉部４は、開き戸となっているが、これに限定されることはなく、例えば、引き戸や、折れ戸であってもよい。
【００１７】
（気圧制御ユニット５）
気圧制御ユニット５は、収容部２や、濃縮酸素装置６と接続されており、収容部２の内部空間の気圧を制御するために設けられている。また、気圧制御ユニット５は、気圧制御ユニット５に電力を供給するための気圧制御ユニット用電源ボタン５ａと、収容部２の内部にいる利用者と通話可能な受話器５ｂと、収容部２の内部の気圧を制御するための操作を検出する制御パネル５ｃを有している。なお、気圧制御ユニット５は、収容部２の内部空間の気圧を、大気圧と比較して高圧にすることが可能であり、大気圧と比較して低圧にすることも可能である。
【００１８】
（濃縮酸素装置６）
濃縮酸素装置６は、気圧制御ユニット５と接続されており、濃縮酸素装置６に電力を供給するための濃縮酸素装置用電源ボタン６ａと、濃縮酸素装置６の内部に設けられており、空気中の窒素、及び二酸化炭素を取り除くためのゼオライト（図示せず）を有している。なお、濃縮酸素装置６を設けなくてもよい。この場合、気圧制御ユニット５により、収容部２の内部空間の気圧を制御する商品となる。
【００１９】
（酸素ルーム１の利用方法）
ここで、酸素ルーム１の利用方法について説明を行う。まず、気圧制御ユニット用電源ボタン５ａと、濃縮酸素装置用電源ボタン６ａを操作することにより、気圧制御ユニット５と、濃縮酸素装置６の電源をＯＮにする。次に、制御パネル５ｃを操作することにより、気圧制御ユニット５から濃縮酸素装置６に対して収容部２の内部の気圧を制御する制御信号が送信されることとなる。また、濃縮酸素装置６は、外気を取り込み、この取り込んだ外気から、ゼオライトにより窒素、及び二酸化炭素を取り除くことにより、濃度の濃い酸素を精製し、濃度の濃い酸素を気圧制御ユニット５に供給する。そして、気圧制御ユニット５は、濃縮酸素装置６から供給された濃度の濃い酸素を、収容部２の内部に供給する処理を行う。これらにより、収容部２の内部の気圧が制御されることとなる。なお、この後、利用者は、扉部４を開いて収容部２の内部空間に入り、扉部４を閉めることで酸素ルーム１を利用することとなる。
【００２０】
（前方結合部７）
前方結合部７は、前方部２ａの内周縁に設けられており、前方部２ａと、後方部２ｂを結合するために設けられている。また、前方結合部７は、板状となっており、前方部２ａに対して溶接により接合されている。ここで、前方結合部７は、前方結合部用ビス穴７ａが複数設けられている。
【００２１】
（後方結合部８）
後方結合部８は、後方部２ｂの内周縁に設けられており、前方部２ａと、後方部２ｂを結合するために設けられている。また、後方結合部８は、板状となっており、後方部２ｂに対して溶接により接合されている。ここで、後方結合部８は、後方結合部用ビス穴８ａが複数設けられている。
【００２２】
（ビス９）
ビス９は、前方結合部用ビス穴７ａと、後方結合部用ビス穴８ａを結合するために設けられている。なお、ビス９の挿通方向は、特に限定されることはなく、前方結合部用ビス穴７ａから後方結合部用ビス穴８ａの方向に挿通されてもよく、後方結合部用ビス穴８ａから前方結合部用ビス穴７ａの方向に挿通されてもよい。
【００２３】
（パッキン１０）
パッキン１０は、前方結合部７と、後方結合部８の間に設けられており、収容部２の内部空間の酸素が外部に漏れることを防止するために設けられている。また、パッキン１０は、前方結合部用ビス穴７ａや、後方結合部用ビス穴８ａよりも内側に取り付けられることとなる。なお、パッキン１０は、前方結合部用ビス穴７ａや、後方結合部用ビス穴８ａよりも外側に取り付けられることとしてもよいし、パッキン１０に自体にビス穴を設け、このパッキン１０に設けられたビス穴と、前方結合部用ビス穴７ａと、後方結合部用ビス穴８ａにビス９を挿通することとしてもよい。
【００２４】
（第１実施形態における収容部２の結合方法）
図３に示す通り、第１実施形態において、前方部２ａと、後方部２ｂは、前方結合部７の前方結合部用ビス穴７ａと、後方結合部８の後方結合部用ビス穴８ａに対して、ビス９が挿通されることにより結合される。具体的には、組立作業者は、前方結合部用ビス穴７ａと、後方結合部用ビス穴８ａと、パッキン１０が重ね合った状態で、収容部２の内部に入る。そして、前方結合部用ビス穴７ａと、後方結合部用ビス穴８ａにビス９を挿通する。なお、前方結合部用ビス穴７ａと、後方結合部用ビス穴８ａは、それぞれ複数設けられているため、前方部２ａと、後方部２ｂを結合する際には、全ての前方結合部用ビス穴７ａと、後方結合部用ビス穴８ａにビス９が挿通されることとなる。
【００２５】
（第１実施形態における収容部２の結合方法の変形例）
次に、図４を用いて、第１実施形態における収容部２の結合方法の変形例について具体的に説明を行う。なお、図４は、第１実施形態における収容部２の結合方法の変形例を示す図である。
【００２６】
第１実施形態における後方結合部８は、板状となっており、後方部２ｂに対して溶接により接合されているが、第１実施形態の変形例における後方結合部８は、Ｌ字状となっており、後方部２ｂに対して溶接により接合されている。一方、第１実施形態における前方結合部７は、前方部２ａの内周縁に設けられているが、第１実施形態の変形例における前方結合部７は、前方部２ａの内部に設けられている。なお、前方結合部７をＬ字状とし、前方部２ａに溶接により接合し、後方結合部８を後方部２ｂの内部に設けることとしてもよい。
【００２７】
そして、組立作業者は、前方結合部用ビス穴７ａと、後方結合部用ビス穴８ａと、パッキン１０が重ね合った状態で、収容部２の内部に入る。そして、前方結合部用ビス穴７ａと、後方結合部用ビス穴８ａにビス９を挿通する。
【００２８】
（従来の酸素ルーム１における収容部２の結合方法）
次に、図５を用いて、従来の酸素ルーム１における収容部２の結合方法について具体的に説明を行う。なお、図５は、従来の酸素ルーム１の斜視図の一例を示す図である。
【００２９】
図５に示すように、従来の酸素ルーム１においては、前方部２ａの外周縁に前方結合部７が設けられているとともに、後方部２ｂの外周縁に後方結合部８が設けられており、前方結合部用ビス穴７ａと、後方結合部用ビス穴８ａにビス９を挿通することにより結合されることとなる。
【００３０】
（従来の酸素ルーム１における収容部２の天井部分の結合方法）
ここで、従来の酸素ルーム１における収容部２の天井部分の結合方法について説明を行う。
【００３１】
従来の酸素ルーム１において、前方結合部７と後方結合部８の天井部分を結合する場合には、組立作業者が収容部２の天井部分に登って前方結合部用ビス穴７ａと後方結合部用ビス穴８ａにビス９を挿通して結合することが考えられる。
【００３２】
しかしながら、組立作業者が収容部２の天井部分に登って組立作業を行う必要があることから、組立作業が大変になってしまうという問題点があった。
【００３３】
また、組立作業者が収容部２の天井部分に登って組立作業を行うことから、収容部２の天井部分から転落してしまう危険性があり、安全に組立作業を行うことができないという問題点があった。
【００３４】
更に、組立作業者が収容部２の天井部分に登って組立作業を行う必要があることから、収容部２の天井から、作業場の天井までの間に、組立作業者が組立作業を行うスペースを設けなければならないという問題点もある。この点においては、従来の酸素ルーム１を屋内に設置する際においても、従来の酸素ルーム１のメンテナンスを行うメンテナンス作業者が収容部２の天井部分に登る可能性があるため、メンテナンス作業者が作業を行うスペースを考慮して設置しなければならない。
【００３５】
一方で、梯子や脚立を用いて前方結合部７と後方結合部８の天井部分を結合することが考えられる。
【００３６】
しかしながら、組立作業者が梯子や脚立に登って組立作業を行う必要があることから、組立作業が大変になってしまうという問題点があった。
【００３７】
また、組立作業者が梯子や脚立に登って組立作業を行うことから、梯子や脚立から転落してしまう危険性があり、安全に組立作業を行うことができないという問題点があった。
【００３８】
これらの問題点に対して、第１実施形態における酸素ルーム１は、上述の通り、前方結合部用ビス穴７ａと、後方結合部用ビス穴８ａと、パッキン１０が重ね合った状態で、収容部２の内部に入り、前方結合部用ビス穴７ａと、後方結合部用ビス穴８ａにビス９を挿通して結合することとなることから、収容部２の天井部分に登ったり、梯子や脚立を用いたりする必要がなくなるので、組立作業を容易に行うことができる。
【００３９】
また、天井部分に登ったり、梯子や脚立を用いたりする必要がなくなることから、組立作業者が転落してしまう虞がなくなるので、安全に組立作業を行うことができる。
【００４０】
更に、収容部２の内部に入って前方結合部７と、後方結合部８をビス９で結合することができることから、収容部２の天井から、作業場の天井や、設置される屋内の天井までの間に、組立作業者が作業するスペースや、メンテナンス作業者がメンテナンスを行うスペースを設ける必要がなくなるので、組立作業者が作業するスペースや、メンテナンス作業者がメンテナンスを行うスペースの分だけ収容部２の高さを高くすることができる。
【００４１】
（従来の酸素ルーム１における収容部２の底面部分の結合方法）
ここで、従来の酸素ルーム１における収容部２の底面部分の結合方法について説明を行う。
【００４２】
従来の酸素ルーム１において、前方結合部７と後方結合部８の底面部分を結合する場合には、組立作業者が底面部分の隙間に腕を入れて前方結合部用ビス穴７ａと後方結合部用ビス穴８ａにビス９を挿通して結合することが考えられる。
【００４３】
しかしながら、組立作業者が収容部２の底面部分の隙間に腕を入れて前方結合部７と後方結合部８を結合する場合には、組立作業者が底面部分の隙間に対して、腕を伸ばしてビス９で結合する必要があり、組立作業が大変になってしまうという問題点があった。
【００４４】
また、組立作業者の腕や手が、収容部２と床に挟まってしまう危険性があり、安全に組立作業を行うことができないという問題点があった。
【００４５】
また、組立作業者が収容部２の底面部分の隙間に手を入れて前方結合部７と後方結合部８を結合する場合には、収容部２の底面部分の左側方及び右側方から組立作業者の手の届く範囲が限られるため、収容部２の幅を自由に設計することができないという問題点があった。例えば、組立作業者の腕の長さが８０ｃｍである場合には、１６０ｃｍ程度までしか結合することができなくなるので、収容部２の幅が１６０ｃｍまでに制限されてしまう。
【００４６】
一方で、ジャッキを用いて収容部２を持ち上げて、前方結合部７と後方結合部８を結合することが考えられる。
【００４７】
しかしながら、組立作業者がジャッキを用いて収容部２を持ち上げて組立作業を行う必要があることから、組立作業が大変になってしまうという問題点があった。
【００４８】
また、ジャッキにより収容部２を持ち上げた状態において、何らかの要因で収容部２が落下した場合に、組立作業者が収容部２と床の間に挟まってしまう危険性があり、安全に組立作業を行うことができないという問題点があった。
【００４９】
更に、ジャッキにより収容部２を持ち上げる際に、収容部２を横にしたり、傾斜させたりして持ち上げることとなるため、作業場の床や壁が傷ついたり、凹んでしまったりするという問題点があった。
【００５０】
これらの問題点に対して、第１実施形態における酸素ルーム１は、上述の通り、前方結合部用ビス穴７ａと、後方結合部用ビス穴８ａと、パッキン１０が重ね合った状態で、収容部２の内部に入り、前方結合部用ビス穴７ａと、後方結合部用ビス穴８ａにビス９を挿通して結合することから、組立作業者が収容部２の底面部分の隙間に腕を入れてビス９で結合する必要や、ジャッキにより収容部２を持ち上げる必要がなくなるので、組立作業を容易に行うことができる。
【００５１】
また、組立作業者が底面部分の隙間に手を入れて前方結合部７と後方結合部８を結合する必要や、ジャッキを用いて収容部２を持ち上げる必要がなくなることから、組立作業者の腕や手が挟まってしまう虞や、組立作業者が収容部２と床の間に挟まってしまう虞がなくなるので、安全に組立作業を行うことができる。
【００５２】
また、収容部２の内部に入り、前方結合部用ビス穴７ａと、後方結合部用ビス穴８ａにビス９を挿通して結合することから、収容部２の幅を自由に設計することができる。
【００５３】
更に、ジャッキにより収容部２を持ち上げる必要がなくなるから、作業場の床や壁が傷ついたり、凹んでしまったりすることを防止することができる。
【００５４】
（第２実施形態）
次に、図６を用いて、本発明における酸素ルームの第２実施形態について具体的に説明を行う。なお、図６（Ａ）は、第２実施形態における酸素ルームの斜視図の一例を示す図であり、図６（Ｂ）は、第２実施形態における酸素ルームの正面視分解斜視図の一例を示す図であり、図６（Ｃ）は、第２実施形態における酸素ルームの背面視分解斜視図の一例を示す図である。
【００５５】
以下において、第１実施形態と異なる点のみ説明し、第１実施形態と同一の点については説明を省略する。
【００５６】
（中央部１１）
中央部１１は、前方部２ａと、後方部２ｂの間に設けられており、酸素ルーム１の収容部２の内部の空間を広くするために設けられている。ここで、中央部１１には、前方部２ａと結合するための第１中央結合部１２と、後方部２ｂと結合するための第２中央結合部１３が設けられている。
【００５７】
（第１中央結合部１２）
第１中央結合部１２は、中央部１１の前方内周縁に設けられており、前方部２ａと、中央部１１を結合するために設けられている。また、第１中央結合部１２は、板状となっており、中央部１１に対して溶接により接合されている。ここで、第１中央結合部１２は、第１中央結合部用ビス穴１２ａが複数設けられている。
【００５８】
（第２中央結合部１３）
第２中央結合部１３は、中央部１１の後方内周縁に設けられており、後方部２ｂと、中央部１１を結合するために設けられている。また、第２中央結合部１３は、板状となっており、中央部１１に対して溶接により接合されている。ここで、第２中央結合部１３は、第２中央結合部用ビス穴１３ａが複数設けられている。
【００５９】
（第２実施形態における収容部２の結合方法）
第２実施形態において、前方部２ａと、中央部１１は、前方結合部用ビス穴７ａと、第１中央結合部用ビス穴１２ａにビス９を挿通することにより結合され、後方部２ｂと、中央部１１は、第２中央結合部用ビス穴１３ａと、後方結合部用ビス穴８ａにビス９を挿通することにより結合される。
【００６０】
具体的には、組立作業者は、前方結合部用ビス穴７ａと、パッキン１０と、第１中央結合部用ビス穴１２ａが重ね合った状態で、収容部２の内部に入る。そして、前方結合部用ビス穴７ａと、第１中央結合部用ビス穴１２ａにビス９を挿通する。また、組立作業者は、後方結合部用ビス穴８ａと、パッキン１０と、第２中央結合部用ビス穴１３ａが重ね合った状態で、収容部２の内部に入る。そして、後方結合部用ビス穴８ａと、第２中央結合部用ビス穴１３ａにビス９を挿通する。
【００６１】
（第３実施形態）
次に、図７を用いて、本発明における酸素ルームの第３実施形態について具体的に説明を行う。なお、図７（Ａ）は、第２実施形態における酸素ルームの斜視図の一例を示す図であり、図７（Ｂ）は、第２実施形態における酸素ルームの正面視分解斜視図の一例を示す図であり、図７（Ｃ）は、第２実施形態における酸素ルームの背面視分解斜視図の一例を示す図である。
【００６２】
以下において、第１実施形態や、第２実施形態と異なる点のみ説明し、第１実施形態や、第２実施形態と同一の点については説明を省略する。
【００６３】
第２実施形態においては、前方部２ａと、後方部２ｂの間に中央部１１が１個設けられているが、第３実施形態においては、前方部２ａと、後方部２ｂの間に中央部１１が複数設けられている。具体的には、第３実施形態においては、前方部２ａと、後方部２ｂの間に第１中央部１４と、第２中央部１５が設けられている。
【００６４】
（第１中央部１４）
第１中央部１４は、第３実施形態における収容部２の内部空間を広くするために設けられている。ここで、第１中央部１４には、前方部２ａと結合するための第３中央結合部１６と、第２中央部１５と結合するための第４中央結合部１７が設けられている。
【００６５】
（第２中央部１５）
第２中央部１５は、第３実施形態における収容部２の内部空間を広くするために設けられている。ここで、第２中央部１５には、後方部２ｂと結合するための第５中央結合部１８と、第１中央部１４と結合するための第６中央結合部１９が設けられている。
【００６６】
（第３中央結合部１６）
第３中央結合部１６は、第１中央部１４の前方内周縁に設けられており、前方部２ａと、第１中央部１４を結合するために設けられている。ここで、第３中央結合部１６は、第３中央結合部用ビス穴１６ａが複数設けられている。
【００６７】
（第４中央結合部１７）
第４中央結合部１７は、第１中央部１４の後方内周縁に設けられており、第１中央部１４と、第２中央部１５を結合するために設けられている。ここで、第４中央結合部１７は、第４中央結合部用ビス穴１７ａが複数設けられている。
【００６８】
（第５中央結合部１８）
第５中央結合部１８は、第２中央部１５の前方内周縁に設けられており、第１中央部１４と、第２中央部１５を結合するために設けられている。ここで、第５中央結合部１８は、第５中央結合部用ビス穴１８ａが複数設けられている。
【００６９】
（第６中央結合部１９）
第６中央結合部１９は、第２中央部１５の後方内周縁に設けられており、後方部２ｂと、第２中央部１５を結合するために設けられている。ここで、第６中央結合部１９は、第６中央結合部用ビス穴１９ａが複数設けられている。
【００７０】
（第３実施形態における収容部２の結合方法）
第３実施形態において、前方部２ａと、第１中央部１４は、前方結合部用ビス穴７ａと、第３中央結合部用ビス穴１６ａにビス９を挿通することにより結合され、後方部２ｂと、第２中央部１５は、第６中央結合部用ビス穴１９ａと、後方結合部用ビス穴８ａにビス９を挿通することにより結合され、第１中央部１４と、第２中央部１５は、第４中央結合部用ビス穴１７ａと、第５中央結合部用ビス穴１８ａにビス９を挿通することにより結合される。
【００７１】
具体的には、前方結合部用ビス穴７ａと、パッキン１０と、第３中央結合部用ビス穴１６ａが重ね合った状態で、収容部２の内部に入る。そして、前方結合部用ビス穴７ａと、第３中央結合部用ビス穴１６ａにビス９を挿通する。
【００７２】
また、組立作業者は、後方結合部用ビス穴８ａと、パッキン１０と、第６中央結合部用ビス穴１９ａが重ね合った状態で、収容部２の内部に入る。そして、後方結合部用ビス穴８ａと、第６中央結合部用ビス穴１９ａにビス９を挿通する。
【００７３】
そして、組立作業者は、第４中央結合部用ビス穴１７ａと、パッキン１０と、第５中央結合部用ビス穴１８ａが重ね合った状態で、収容部２の内部に入る。そして、第４中央結合部用ビス穴１７ａと、第５中央結合部用ビス穴１８ａにビス９を挿通する。
【００７４】
このように、第３実施形態においては、中央部１１の数を複数設けることにより、第１実施形態における酸素ルーム１や、第２実施形態における酸素ルーム１と比較して内部空間を広くすることができる。なお、第３実施形態では、中央部１１の数が２個であることを例示して説明したが、これに限定されることなく、中央部１１の数は、３個以上であってもよい。
【００７５】
（前方結合部７と後方結合部８の他の態様）
次に、図８に基づいて、前方結合部７と後方結合部８の他の態様について説明を行う。なお、図８は、前方結合部７の他の態様の一例を示す図である。
【００７６】
第１実施形態から第３実施形態においては、前方結合部７や、後方結合部８は、前方部２ａや、後方部２ｂの内周縁に設けられているが、少なくとも一部が内周縁に設けられていてもよい。例えば、図８に示すように、前方結合部７の底面部分だけが前方部２ａの内周縁に設けられていてもよい。この場合においては、後方結合部８の底面部分だけが後方部２ｂの内周縁に設けられることとなる。なお、この点については、第２実施形態や、第３実施形態においても適用可能である。
【００７７】
また、前方結合部７の天井部分だけが前方部２ａの内周縁に設けられていてもよい。この場合においては、後方結合部８の天井部分だけが後方部２ｂの内周縁に設けられることとなる。なお、この点については、第２実施形態や、第３実施形態においても適用可能である。
【００７８】
また、前方結合部７の天井部分と、底面部分が前方部２ａの内周縁に設けられていてもよい。この場合においては、後方結合部８の天井部分と、底面部分が後方部２ｂの内周縁に設けられることとなる。なお、この点については、第２実施形態や、第３実施形態においても適用可能である。
【００７９】
このように、本発明によれば、収容部２は、前方部２ａと、後方部２ｂを結合することにより構成されている。また、前方部２ａの内側には、前方結合部７が設けられているとともに、後方部２ｂの内側には、後方結合部８が設けられており、それぞれに設けられている前方結合部用ビス穴７ａと、後方結合部用ビス穴８ａを重ね合わせた状態で、ビス９を挿通して結合する。これにより、組立作業者は、収容部２の内部に入り、前方結合部用ビス穴７ａと、後方結合部用ビス穴８ａにビス９を挿通することができることから、酸素ルーム１の組立作業を容易に行うことができる。
【００８０】
また、本発明によれば、前方部２ａと、後方部２ｂの間に中央部１１を設ける。これにより、酸素ルーム１の収容部２の内部空間を広くすることができる。
【００８１】
また、本発明によれば、前方部２ａと、後方部２ｂの間に、第１中央部１４と、第２中央部１５のように複数設ける。これにより、中央部１１の数を増やすことによって、酸素ルーム１の内部空間をさらに広くすることができるとともに、酸素ルーム１の設置スペースに応じて、収容部２の内部空間の広さを調整することができる。
【００８２】
なお、本実施形態において、「前方部２ａ」は、本発明の「前方部」を構成する。
【００８３】
また、本実施形態において、「後方部２ｂ」は、本発明の「後方部」を構成する。
【００８４】
また、本実施形態において、「前方結合部７」は、本発明の「前方結合部」を構成する。
【００８５】
また、本実施形態において、「後方結合部８」は、本発明の「後方結合部」を構成する。
【００８６】
また、本実施形態において、「収容部２」は、本発明の「収容部」を構成する。
【００８７】
また、本実施形態において、「気圧制御ユニット５」や、「濃縮酸素装置６」は、本発明の「酸素供給部」を構成する。
【００８８】
また、本実施形態において、「中央部１１」は、本発明の「中央部」を構成する。
【００８９】
また、本実施形態において、「第１中央結合部１２」は、本発明の「第１中央結合部」を構成する。
【００９０】
また、本実施形態において、「第２中央結合部１３」は、本発明の「第２中央結合部」を構成する。
【００９１】
なお、上記実施形態や変形例で示した事項は、あくまで一例に過ぎず、本発明の範囲を逸脱しない範囲で、適宜変更可能である。
【符号の説明】
【００９２】
１          酸素ルーム
２          収容部
２ａ        前方部
２ｂ        後方部
３          開口部
４          扉部
５          気圧制御ユニット
５ａ        気圧制御ユニット用電源ボタン
５ｂ        受話器
５ｃ        制御パネル
６          濃縮酸素装置
６ａ        濃縮酸素装置用電源ボタン
７          前方結合部
７ａ        前方結合部用ビス穴
８          後方結合部
８ａ        後方結合部用ビス穴
９          ビス
１０        パッキン
１１        中央部
１２        第１中央結合部
１２ａ      第１中央結合部用ビス穴
１３        第２中央結合部
１３ａ      第２中央結合部用ビス穴
１４        第１中央部
１５        第２中央部
１６        第３中央結合部
１６ａ      第３中央結合部用ビス穴
１７        第４中央結合部
１７ａ      第４中央結合部用ビス穴
１８        第５中央結合部
１８ａ      第５中央結合部用ビス穴
１９        第６中央結合部
１９ａ      第６中央結合部用ビス穴
【図１】
2019084202.tif 000003
【図２】
2019084202.tif 000004
【図３】
2019084202.tif 000005
【図４】
2019084202.tif 000006
【図５】
2019084202.tif 000007
【図６】
2019084202.tif 000008
【図７】
2019084202.tif 000009
【図８】
2019084202.tif 000010